(57)【要約】【課題】パチンコ機などの遊戯機器における所定の部品へ容易に取り付けることができ、これらの部品への物理的な不正アクセスを防止する。【解決手段】本発明によれば、脆弱なシール部材ではなく、可撓性帯状部２０を備えた結束用帯状体１０からなるため、被結束対象であるＲＯＭ等の部品、あるいは、ＲＯＭ等を実装した基板を収容しているケースないしはボックスの開閉部の形状に拘わらず、容易に取り付けることができる。また、導体４０を、結束用帯状体２０により被結束対象を結束した際に、曲げ方向内面に取り付けた構成、あるいは、可撓性帯状部２０の厚みの範囲内に埋設した構成としているため、可撓性帯状部２０（導体４０）を切断する前に、予め短絡させておく作業が行い難く、不正行為の防止効果が高い。【選択図】  図２
2008183175.tif 000002
【特許請求の範囲】
【請求項１】
可撓性帯状部と、該可撓性帯状部の基端に設けられる係止部とを有してなり、前記可撓性帯状部を曲げて被結束対象をその内側に位置させ、前記可撓性帯状部を前記係止部に係止し、前記被結束対象を結束する結束用帯状体であって、
前記可撓性帯状部を曲げた際に被結束対象と対峙する内面側に、導体が配線されていることを特徴とする結束用帯状体。
【請求項２】
可撓性帯状部と、該可撓性帯状部の基端に設けられる係止部とを有してなり、前記可撓性帯状部を曲げて被結束対象をその内側に位置させ、前記可撓性帯状部を前記係止部に係止し、前記被結束対象を結束する結束用帯状体であって、
前記可撓性帯状部の厚みの範囲内に、導体が埋設されて配線されていることを特徴とする結束用帯状体。
【請求項３】
前記係止部には、厚み方向に貫通する係止孔が形成されており、前記可撓性帯状部は、その先端から該係止孔に挿通されて係止される構造であることを特徴とする請求項１又は２記載の結束用帯状体。
【請求項４】
前記導体は、前記可撓性帯状部の両側縁と、前記係止部における係止孔の周囲に沿って配線されていることを特徴とする請求項３記載の結束用帯状体。
【請求項５】
前記導体の中途に、抵抗又はコンデンサが介在されていることを特徴とする請求項１〜４のいずれか１に記載の結束用帯状体。
【請求項６】
前記可撓性帯状部において、被結束対象をその内側に位置するように曲げた際に外側となる面に複数の係止用凹部が形成され、
前記係止孔内において、可撓性帯状部に連接されていない孔壁部から内方に向かって前記係止用凹部に係合する突起部が突設されていることを特徴とする請求項３〜５のいずれか１に記載の結束用帯状体。
【請求項７】
パチンコ機などの遊戯機器であって、
所定の部品に、請求項１〜６のいずれか１に記載の結束用帯状体が結束され、該結束用帯状体の導体の電気的特性の変化を検出することで、前記所定の部品への物理的な不正行為を検出可能であることを特徴とする遊戯機器。
【請求項８】
請求項７記載の遊戯機器と、
前記結束用帯状体の端子部に接続されるコネクタを介して、前記結束用帯状体の電気的特性の変化を検出する検出装置と、
前記検出装置により、常態と異なる電気的特性の変化が検出された場合に警報を発する警報発生装置と
を具備することを特徴とする遊戯機器監視システム。
【請求項９】
前記警報発生装置は、管理者用端末装置へ通知する通信端末を備えてなることを特徴とする請求項８記載の遊戯機器監視システム。
【発明の詳細な説明】
【技術分野】
【０００１】
本発明は、パチンコ機などの遊戯機器に装填されたＲＯＭなどの電子部品の交換や改造等の物理的な不正行為を防止するための結束用帯状体、遊戯機器及び遊戯機器監視システムに関する。
【背景技術】
【０００２】
パチンコ機に装填されたＲＯＭを交換したりするなどの不正行為を防止するため、特許文献１には、次のような技術が開示されている。すなわち、ＲＯＭなどの電子部品の周囲やこれらの電子部品を実装した基板を収納するケースの開閉部に、導電性部材を内蔵した封印シールを貼着し、不正行為を行おうとして該封印シールを剥がそうとすると封印シールが容易に破損し、導通が遮断されることにより、これらの部品への不正アクセスの発生を検知している。導体の導通状態だけでなく、抵抗値の変化から不正アクセスの発生を検知可能であることも開示されている。
【特許文献１】特開平８−２２１６７６号公報
【発明の開示】
【発明が解決しようとする課題】
【０００３】
しかし、特許文献１に記載の技術は、封印シールとして、容易に破損しやすい脆弱シールを用いている。このため、例えば、パチンコ機においてＲＯＭ等が収容された基板ボックスの開閉部にこのシールを貼着しようとした場合、基板ボックスの開閉部には段差があったり、角があったりするため、貼着する際に封印シールの導電性部材が破損してしまうことがある。このため、慎重に貼着する必要があり、貼着作業が面倒なこともあってあまり普及するに至っていない。
【０００４】
また、薄いシールからなるため、シールを剥がす前に短絡させておき不正行為を行うこともあり得る。この場合、抵抗値変化や静電容量変化を検出可能なシステムにしておけば、このような不正行為も検出可能であるが、単に導電性部材の導通状態のみを検出しているシステムでは、このような短絡による不正行為を発見することは困難である。抵抗値等を検出するシステムにしたとしても、予め抵抗値が知られている場合には、同じ抵抗値の部品を付け替えることによって不正行為が行われてしまう場合もある。
【０００５】
本発明は上記に鑑みなされたものであり、脆弱な封印シールを用いることなく、パチンコ機などの遊戯機器における所定の部品へ容易に取り付けることができ、これらの部品への物理的な不正アクセスの防止に有効な結束用帯状体、遊戯機器及び遊戯機器監視システムを提供することを課題とする。
【課題を解決するための手段】
【０００６】
上記課題を解決するため、本発明では、可撓性帯状部と、該可撓性帯状部の基端に設けられる係止部とを有してなり、前記可撓性帯状部を曲げて被結束対象をその内側に位置させ、前記可撓性帯状部を前記係止部に係止し、前記被結束対象を結束する結束用帯状体であって、前記可撓性帯状部を曲げた際に被結束対象と対峙する内面側に、導体が配線されていることを特徴とする結束用帯状体を提供する。
また、本発明は、可撓性帯状部と、該可撓性帯状部の基端に設けられる係止部とを有してなり、前記可撓性帯状部を曲げて被結束対象をその内側に位置させ、前記可撓性帯状部を前記係止部に係止し、前記被結束対象を結束する結束用帯状体であって、前記可撓性帯状部の厚みの範囲内に、導体が埋設されて配線されていることを特徴とする結束用帯状体を提供する。
前記係止部には、厚み方向に貫通する係止孔が形成されており、前記可撓性帯状部は、その先端から該係止孔に挿通されて係止される構造とすることが好ましい。
また、前記導体は、前記可撓性帯状部の両側縁と、前記係止部における係止孔の周囲に沿って配線されていることが好ましく、前記導体の中途には、抵抗又はコンデンサを介在配設することが好ましい。
さらに、前記可撓性帯状部において、被結束対象をその内側に位置するように曲げた際に外側となる面に複数の係止用凹部が形成され、前記係止孔内において、可撓性帯状部に連接されていない孔壁部から内方に向かって前記係止用凹部に係合する突起部が突設されている構成とすることが好ましい。
また、本発明は、パチンコ機などの遊戯機器であって、所定の部品に、上記結束用帯状体が結束され、該結束用帯状体の導体の電気的特性の変化を検出することで、前記所定の部品への物理的な不正行為を検出可能な遊戯機器を提供する。
また、本発明は、上記遊戯機器と、前記結束用帯状体の端子部に接続されるコネクタを介して、前記結束用帯状体の電気的特性の変化を検出する検出装置と、前記検出装置により、常態と異なる電気的特性の変化が検出された場合に警報を発する警報発生装置とを具備することを特徴とする遊戯機器監視システムを提供する。
なお、前記警報発生装置は、管理者用端末装置へ通知する通信端末を備えてなることが好ましい。
【発明の効果】
【０００７】
本発明によれば、脆弱なシール部材ではなく、可撓性帯状部を備えた結束用帯状体からなるため、被結束対象であるＲＯＭ等の部品、あるいは、ＲＯＭ等を実装した基板を収容しているケースないしはボックスの開閉部の形状に拘わらず、容易に取り付けることができる。また、導体を、結束用帯状体により被結束対象を結束した際に、曲げ方向内面に取り付けた構成、あるいは、可撓性帯状部の厚みの範囲内に埋設した構成としているため、可撓性帯状部（導体）を切断する前に、予め短絡させておく作業が行い難く、不正行為の防止効果が高い。
【０００８】
また、結束用帯状体の切断等による不正行為が行われたことを検知した場合、本発明の遊戯機器監視システムによれば、そのことを通信回線を通じて管理者に迅速に伝達でき、速やかに適切な対処をとることができる。
【発明を実施するための最良の形態】
【０００９】
以下、本発明の実施形態を図面に基づいて更に詳しく説明する。図１〜図４は、本実施形態の結束用帯状体１０を説明するための図である。これらの図に示したように、結束用帯状体１０は、合成樹脂からなり、可撓性帯状部２０と係止部３０とが一体成形された構造である。
【００１０】
可撓性帯状部２０は、所定の長さ、幅、厚さを備えて形成されている。例えば、長さ１００ｍｍ、幅５ｍｍ、厚さ２ｍｍとすることができるが、これらの寸法は全く限定されるものではない。被結束対象の大きさに合わせて複数種類備えておくこともできる。可撓性帯状部２０の一面には、係止用凹部２１が刻設されている。係止用凹部２１は、該可撓性帯状部２０の長さ方向に沿って所定間隔毎に複数形成されている。従来公知の結束用帯状体は、被結束対象に対峙する面にこの係止用凹部が形成され、被結束対象を取り囲んで係止部に形成した係止孔に挿通した際には、係止用凹部が形成された凹凸面が内面になり、外面に平坦面が現れるように用いられる。これに対し、本実施形態では、可撓性帯状部２０を曲げた際に被結束対象１００と対峙する内面側に、導体４０を配線しているため、被結束対象を取り囲んだ際に外側になる面に係止用凹部２１を設けている（図２、図３参照）。
【００１１】
係止部３０は、可撓性帯状部２０の基端側に、該可撓性帯状部２０と一体に成形されており、高さ（厚さ）方向に貫通する係止孔３１が形成されている。係止孔３１には、図２に示したように、被結束対象１００を取り囲んだ可撓性帯状部２０が、その先端２０ａから挿通される。係止孔３１内には、図１及び図３に示したように、挿通される可撓性帯状部２０の係止用凹部２１に係合する突起部３２が設けられている。可撓性帯状部２０には、上記のように、被結束対象１００を取り囲んだ際の外面に係止用凹部２１が形成されているため、係止用凹部２１は、該係止孔３１に挿通した際には係止孔３１を取り囲む孔壁部のうち、可撓性帯状部２０に連接されていない、すなわち、可撓性帯状部２０からの距離が最も遠い孔壁部３０ａに対面する。従って、突起部３２は、可撓性帯状部２０からの距離の離れた壁部３０ａより内方に向かって突設されている。
【００１２】
ここで、導体４０は、図３に示したように、可撓性帯状部２０において、係止用凹部２１と反対側の面、すなわち、上記したように該可撓性帯状部２０を曲げた際に被結束対象と対峙する内面側に配線している。従来公知の結束用帯状体をそのまま本発明に適用する場合には、内面側に係止用凹部が形成されているため、外面側に導体を配設することになる。しかし、これでは、不正行為者が、被結束対象を結束した状態で、可撓性帯状部（導体）を切断する前に、予め短絡させる可能性がある。これに対し、本実施形態のように、可撓性帯状部２０の内面側に導体を設けることにより、被結束対象を結束した状態で、導体を短絡させることが困難になるため、不正行為の抑制効果がより高い。
【００１３】
可撓性帯状部２０には、導体４０を配設するため、図３に示したように、可撓性帯状部２０の内側となる面には、予め、導体配設用の溝が形成されており、この溝内に接着剤等を用いて配線される。係止部３０においても、可撓性帯状部２０と同じ面に導体配設用の溝が形成され、係止孔３１を取り囲むように配線される。図４は、導体４０を配設した面から見た図であるが、この図に示したように、導体４０は、可撓性帯状部２０の先端２０ａ側から、一方の側縁に沿って係止部３０方向に向かい、係止部３０における係止孔３１の周囲に沿って配線された後、可撓性帯状部２０の他方の側縁に沿って、再び該可撓性帯状部２０の先端２０ａ側まで延びるように配線される。そして、先端２０ａ付近に、コネクタ５０との接点になる端子部２２，２３が形成される。導体４０が、係止部３０の係止孔３１の周囲を取り囲んで配線されていることにより、係止部３０のいずれを切断しても、導通状態が変化することになる。
【００１４】
可撓性帯状部２０及び係止部３０に、導体４０を配線する場合、切断等されることによって導通状態が無くなれば、不正行為が行われたことを検知できるが、切断前に、切断箇所を挟んで導体４０を短絡させた場合には、導通状態が保たれて不正行為が行われたことを検知できない。本実施形態では、導体４０の配設面を可撓性帯状部２０の内面側とすることで、短絡作業を行い難くしているが、それでもなお時間をかけて短絡させた場合にも不正行為の有無を検知できるようにするため、導体４０の中途に、抵抗、コンデンサのような電子部品４５を設けておくことが好ましい。抵抗値又は静電容量が、予め設定された値と異なる値になった場合に、不正行為が行われたと判定できる。なお、電子部品４５の装填箇所は限定されるものではないが、本実施形態では、係合部３０の一の孔壁部３０ａ内に溝を設けて埋め込み、導体４０と電気的に結合している。
【００１５】
また、抵抗値等を予め知っている場合には、同じ抵抗値の電子部品を準備して上記のような不正行為を行う可能性もある。そこでこれを防止するために、例えば、抵抗値や静電容量の異なる電子部品を用いた結束用帯状体１０を多種類準備しておくことが有効である。パチンコ遊戯場では、数百台から数千台のパチンコ機が設置されていることから、パチンコ器毎に、抵抗値等の異なる本実施形態の結束用帯状体１０を用いて、ＲＯＭを収容した制御ボックスに適用することにより、上記不正を行うことが極めて困難になる。
【００１６】
コネクタ５０には、係止部３０の係止孔３１に挿通して被結束対象１００を結束した可撓性帯状部２０の先端２０ａの端子部２２，２３が接続される。コネクタ５０は、導体４０の電気的特性（例えば、導通状態、抵抗値、静電容量）の変化を検出する電子回路部品からなる検出装置６１が組み込まれた監視ボックス６０にケーブル５１を介して接続されている。監視ボックス６０は、通常、数台から数十台のパチンコ機に対して１台の割合で設けられ、各結束用帯状体１０の電気的特性を監視する。そして、各監視ボックス６０は、さらに、例えば、パチンコ機の島毎に１台の割合で設けられた集中監視ボックス７０に電気的に接続され、集中監視ボックス７０から電力の供給を受けて作動可能になっている。集中監視ボックス７０では、警報発生装置７１を備えており、異常発生信号を監視ボックス６０から受けると、該警報発生装置７１が作動して異常事態発生を管理者に知らせる。
【００１７】
警報発生装置７１は、管理者に異常事態発生を認知させることができる手段であればどのような手段であってもよい。例えば、警告音、警告灯の点滅などの手段を採用することができる。また、警報発生装置７１には、管理者用端末装置８０へ異常事態発生を知らせることが可能な通信端末を設けておくことが好ましい。警告音や警告灯などに代え、あるいはこれらと共に用いることで、速やかに管理者に知らせることができる。なお、ここでいう管理者とは、パチンコ遊戯場等の経営者、管理者等のほか、警備会社等も含む意味である。管理者用端末装置８０としては、パーソナルコンピュータ、携帯電話、ＰＨＳなど各種のものが使用可能であり、警報発生装置７１に設定される通信端末は、これらの管理者用端末装置の通信方式に合わせて適宜のものが選択でき、特に限定されるものではない。
【００１８】
本実施形態では、結束用帯状体１０を、例えば、パチンコ機のＲＯＭ基板を収納した基板ボックスなどの被結束対象１００の周囲、あるいは、開閉部に本体側と蓋側とを連通する取っ手の係合孔がある場合には、それらに引っ掛けるようにして結束する。結束した後、可撓性帯状部２０の先端２０ａの端子部２２，２３をコネクタ５０に接続する。常態では、検出装置６１において検出される電気信号に異常が発生しないため、集中監視ボックス７０に対して、例えば、定期通信にて正常ログを返信する。
【００１９】
一方、結束用帯状体１０の導体４０がいずれかの位置で切断された場合、導体４０に対して短絡結合が施され、電気抵抗値や静電容量が変化した場合、あるいは、コネクタ５０から結束用帯状体１０がとり外された場合には、検出装置６１は、導体４０の電気的特性（例えば、導通状態、抵抗値、静電容量）の変化を検出する。この電気的特性の変化を検出すると、検出装置６１から異常事態発生の電気信号が集中監視ボックス７０に送られ、集中監視ボックス７０では、警報発生装置７１により、警告音や警告灯が動作したり、さらには、通信端末を介して管理者にその旨が通報される。これにより、管理者は速やかに対処措置をとることができる。
【００２０】
上記した説明では、可撓性帯状部２０を係止部３０の係止孔３１に挿通し、係止用凹部２１に突起部３２を引っ掛けて係止しているが、係止用凹部又は凸部が可撓性帯状部の側部に形成された構成とすることもできる。また、これらの凹部又は凸部が形成されていない構造であって、係止孔に挿入して接着剤を用いて固定する構成とすることもできる。もちろん、上記実施形態に係る係止用凹部２１や、あるいは可撓性帯状部の側部に係止用凹部や凸部が形成されたものであっても、係止孔に挿入して突起部３２等に係止させた後に、さらに接着剤で固定する構成としてもよい。また、導体４０を多芯配線にすることにより、配線短絡などの不正をより行い難くすることもできる。
【００２１】
また、上記実施形態では、導体４０を、被結束対象１００を取り囲むように曲げた際に内側となる面に予め溝を形成しておき配設しているが、可撓性帯状部２０及び係止部３０の厚みの範囲内に、一体成形により埋設することもできる。この場合も、短絡配線などの不正が行い難くなる。
【００２２】
また、上記実施形態では、検出装置６１を監視ボックス６０に設け、警報発生装置７１を複数の監視ボックス６０を束ねる集中監視ボックス７０に設け、これにより、多数のパチンコ機を効率よく管理できるようにしているが、管理対象であるパチンコ機の設置数等によっては、集中監視ボックス７０を設けずに、監視ボックス６０に検出装置６１及び警報発生装置７１を組み込むこともできるし、逆に、監視ボックス６０を設けずに、集中監視ボックス７０に検出装置６１及び警報発生装置７１を組み込み、各パチンコ機を直接集中監視ボックス７０のみにより管理する構成とすることもできる。
【００２３】
また、上記実施形態では、パチンコ機に適用した場合を例にとり説明しているが、スロットマシン等の他の遊戯機器においても本発明を適用可能であることはもちろんである。また、被結束対象１００は、ＲＯＭなどの電子部品そのもの、あるいは、これらの電子部品を実装した基板を収納するケース、ケースの本体側と蓋との間に連通するように係合用の孔部など、種々の部品が含まれる。
【図面の簡単な説明】
【００２４】
【図１】本発明の一の実施形態に係る結束用帯状体を示す斜視図である。
【図２】上記結束用帯状体により被結束対象を結束した状態を示す図である。
【図３】上記結束用帯状体の断面を模式的に示す図である。
【図４】上記結束用帯状体の導体を配設している面を模式的に示す図である。
【図５】上記結束用帯状体を用いた遊戯機器監視システムを説明するための図である。
【符号の説明】
【００２５】
１０  結束用帯状体
２０  可撓性帯状部
２１  係止用凹部
３０  係止部
３１  係止孔
３２  突起部
４０  導体
５０  コネクタ
６０  監視ボックス
６１  検出装置
７０  集中監視ボックス
７１  警報発生装置
【図１】
2008183175.tif 000003
【図２】
2008183175.tif 000004
【図３】
2008183175.tif 000005
【図４】
2008183175.tif 000006
【図５】
2008183175.tif 000007